(57)【要約】【課題】安定した操作が行え、ホルダーを注射器から着脱可能とする注射装置を提供する。【解決手段】本発明の注射装置は、筒状の外筒本体部２１ａと、外筒本体部と連通するように外筒本体部の先端に設けられた口部２１ｂとを有する外筒と、外筒内を摺動可能とするガスケット２３と、ガスケットに連結されて外筒の後端開口から外筒内外に入出可能なプランジャー２４とを含む注射器と、外筒本体部の後端部近傍に配置され、外筒本体部とは別体の指掛用フランジ２５と、指掛用フランジから立設され外筒に装着された立設部２６と、外筒を内腔内に挿入可能とする内径を有し、外筒に装着され、口部の周囲に配置された部分の内面に螺旋突状が形成されたホルダー３とを含み、外筒にホルダーが装着された状態を保持可能とし、およびその保持を解除可能とする螺合構造が、ホルダーと立設部とに形成されている。【選択図】図２
2008110025.tif 000002
【特許請求の範囲】
【請求項１】
筒状の外筒本体部と、前記外筒本体部と連通するように前記外筒本体部の先端に設けられた口部とを有する外筒と、前記外筒内を摺動可能とするガスケットと、前記ガスケットに連結されて前記外筒内を移動可能なプランジャーとを含む注射器と、
前記外筒本体部の後端部近傍に配置された指掛用フランジと、
前記指掛用フランジから立設され前記外筒に装着された立設部と、
前記外筒に装着され、前記口部の周囲に配置された部分の内面に螺旋突状が形成されたホルダーとを含み、
前記外筒にホルダーが装着された状態を保持可能とし、およびその保持を解除可能とする螺合構造が、前記ホルダーと前記立設部とに形成されていることを特徴とする注射装置。
【請求項２】
前記注射器は、前記外筒の前記ガスケットよりも先端側の部分と前記ガスケットとで囲まれる空間に収納された液体をさらに含むプレフィルドシリンジである請求項１に記載の注射装置。
【請求項３】
前記外筒は、ガラスを含む請求項１に記載の注射装置。
【請求項４】
前記外筒本体部はその後端部に、その隣接部分よりも外径が大きくなった径大部を備え、
前記立設部の一部の内径は、前記径大部の外径よりも大きい請求項１に記載の注射装置。
【請求項５】
前記螺合構造が、
前記ホルダーの内面と前記立設部の外面に形成されている請求項１に記載の注射装置。
【請求項６】
前記螺合構造は、
前記ホルダーの内面に形成された螺旋突状と、
前記立設部の外面に形成された係止突起とからなる請求項５に記載の注射装置。
【請求項７】
前記立設部は、前記立設部の先端側に自由端を有する片持ちアームを含み、
前記片持ちアームの自由端部側に、前記係止突起が形成されている請求項６に記載の注射装置。
【請求項８】
前記片持ちアームを押圧することにより、前記ホルダーの内面に形成された螺旋突状と前記係止突起との螺合を解除可能とする請求項７に記載の注射装置。
【請求項９】
前記片持ちアームに、押圧用突起が形成されている請求項８に記載の注射装置。
【請求項１０】
前記ホルダーの内径は、後端側よりも先端側の方が小さい請求項７に記載の射装置。
【請求項１１】
前記指掛用フランジは、
前記立設部が立設され、前記立設部の内腔と連通した第１孔を有する第１部材と、
第２孔を有する第２部材と、
前記第１部材の前記立設部側の反対側に第２部材が配置され、かつ前記第１孔が前記第２１孔と連通した状態を保持する保持構造とを含み、
前記保持構造は、
前記第１部材および第２部材のうちのいずれか一方が有する係止用開口部と、
他方に形成され前記係止用開口部に係止可能な突出片とを含む請求項１に記載の注射装置。
【請求項１２】
前記第１部材と前記第２部材とがヒンジ部を介して連結されている請求項１１に記載の注射装置。
【請求項１３】
前記係止用開口部は、前記第１部材が有し、
前記突出片は、前記第２部材に形成された請求項１０に記載の注射装置。
【発明の詳細な説明】
【技術分野】
【０００１】
本発明は、注射器とこの注射器に装着されたホルダーとを含む注射装置、特に、薬液等が予め充填された注射器（以下「プレフィルドシリンジ」とも呼ぶ。）とこの注射器に装着されたホルダーとを含む注射装置に関する。
【背景技術】
【０００２】
プレフィルドシリンジでは、外筒内に予め所定量の薬液が充填されている。外筒本体部の先端には液体を吐出可能とする口部が設けられている。口部の開口は、口部にゴムキャップ等が装着されることにより塞がれている。外筒本体部内には、その後端開口からガスケットが摺動可能に挿入されている。このガスケットよりも先端側部分の外筒とガスケットとで囲まれる空間には上記薬液等が収納されている。ガスケットは外筒の内面に密着しているので、上記空間の液密性が保たれている。使用時には、ゴムキャップを口部から取り外し、ガスケットに連結されたプランジャーを外筒内に押し込めば、口部から薬液を吐出させることができる。このようなプレフィルドシリンジを用いれば、患者への薬剤投与や薬剤混合にかかる手間を減らし時間を短縮できる。
【０００３】
上記外筒は、合成樹脂製であることが多いが、充填される薬液等の種類によってはガラス製でなければならない。しかし、その場合、ガラスの性質上、合成樹脂からなる外筒のように指掛用のフランジを大きく形成することが難しい。そのため、指をフランジにひっかけにくく、安定した操作が行いにくい。また、保管および運搬時等における外筒の破損も防止する必要がある。
【０００４】
特許文献１には、注射器と、注射器に装着された注射器用ホルダーとを含む注射装置が開示されている。図７に示すように、注射器ホルダー２０６は、注射器のシリンダ筒２００に嵌装可能な内径を有している。注射器ホルダー２０６は、シリンダ筒２００と同等の長さを有する筒状のホルダー本体２０７と、その後端側に形成された指掛用フランジ２７３とを備えている。指掛用フランジ２７３の幅は、シリンダ筒２００に形成された突片２２２のそれよりも大きく形成されている。注射器ホルダー２０６は、固定部材８８も備えている。この固定部材８８と指掛用フランジ２７３とで突片２２２を挟持することにより、ホルダー本体２０７がシリンダ筒２００に固定されている。記突片２２２の挟持は、指掛用フランジ２７３の第１の係止突状２７５と固定部材８８の第２の係止突状２８４とを嵌め合わせることにより保持されている。
【０００５】
図７に示した注射装置においては、ホルダー本体２０７の先端部の内面２７１に、螺旋突条（図示せず）からなる注射針用の止着部が形成されている。注射針はこの止着部に固定されるので、高粘度の薬剤を吐出する時のように高圧力が注射針にかかっても、注射針のシリンダ筒２００からの抜け落ちが防止されている。
【特許文献１】特開平１０−１５５９０５号公報
【発明の開示】
【発明が解決しようとする課題】
【０００６】
しかし、特許文献１に記載の注射装置は、注射針を強固に固定できる反面、口部２２１を、例えば、スリットが形成されたディスク状の弁体を有する混注用ポート等のスリット内に挿入できない。これは、シリンダ筒２００の先端の口部２２１がホルダー本体２０７によって囲われているためである。このように、特許文献１に記載の注射装置では、シリンダ筒２００にホルダー本体２０７が装着されることにより、注射装置の適用対象が制限されるという不都合を有する。
【０００７】
また、操作性の観点からは、吐出する薬液の粘度が高い場合、低い場合のいずれの場合も、注射装置には指掛用フランジ２７３が備わっていると好ましい。
【０００８】
しかし、特許文献１に記載の注射装置では、ホルダー本体２０７と指掛用フランジ２７３とが一体成形されており、互いに分離不能であるため、指掛用フランジ２７３を残してホルダー本体２０７のみを注射器から取り外すことができない。すなわち、特許文献１には、必要に応じてホルダー本体２０７をシリンダ筒２００に対して着脱するといった思想は開示されていない。
【０００９】
本発明は、ホルダー本体を注射器に対して着脱可能とし、かつ、ホルダー本体が注射器から取り外された状態でも安定した操作が行うことが可能な、注射装置を提供する。
【課題を解決するための手段】
【００１０】
本発明の注射装置は、筒状の外筒本体部と、前記外筒本体部と連通するように前記外筒本体部の先端に設けられた口部とを有する外筒と、前記外筒内を摺動可能とするガスケットと、前記ガスケットに連結されて前記外筒の後端開口から前記外筒内外に入出可能なプランジャーとを含む注射器と、前記外筒本体部の後端部近傍に配置され、前記外筒本体部とは別体の指掛用フランジと、前記指掛用フランジから立設され前記外筒に装着された立設部と、前記外筒を内腔内に挿入可能とする内径を有し、前記外筒に装着され、前記口部の周囲に配置された部分の内面に螺旋突状が形成されたホルダーとを含み、前記外筒にホルダーが装着された状態を保持可能とし、およびその保持を解除可能とする螺合構造が、前記ホルダーと前記立設部とに形成されていることを特徴とする。
【発明の効果】
【００１１】
本発明の注射装置は、指掛用フランジを外筒本体部の後端部の近傍に配置させた状態で、注射器にホルダーが装着された保持状態を解除できるので、ホルダーが注射器から取り外された状態でも安定した操作が行える。
【００１２】
ホルダーが注射器に装着された状態で注射装置を保管および運搬時すれば、注射器の破損を防止できる。口部の周囲の内面に形成された螺旋突状に例えば注射針の針基等を螺合させれば、例えば、高粘度の薬剤の吐出時のように高圧力が注射針等にかかった場合の、注射針等の抜け落ちが防止される。さらに、必要に応じて、注射器からホルダーを取り外せば、例えば、口部を混注用ポート等に挿入でき、注射器の適用範囲が広がる。
【００１３】
さらに、本発明では、螺合構造により注射器にホルダーが装着された状態が保持されるので、ホルダーと立設部とが連結されることにより形成される保持空間の大きさを微調整できる。そのため、量産される注射器について寸法のばらつきがあっても、注射器の径方向および長手方向のがたつきを抑制しながら、注射器にホルダーが装着された状態を保持できる。
【発明を実施するための最良の形態】
【００１４】
本発明の注射装置の一例において、注射器は、ガスケットよりも先端側に位置する外筒とガスケットとで囲まれる空間に収納された液体を含む、いわゆるプレフィルドシリンジであってもよい。外筒の材料としては、例えば、樹脂、ガラス等が挙げられるが、耐薬品製の優れたガラスが好ましい。
【００１５】
本発明の注射装置の好ましい一例では、外筒本体部はその後端部に、その隣接部分よりも外径が大きくなった径大部を備える。この場合、立設部の一部の内径は、この径大部の外径よりも大きく形成されると好ましい。
【００１６】
本発明の注射装置の好ましい一例では、螺合構造は、ホルダーの内面と立設部の外面に形成され、例えば、ホルダーの内面に形成された螺旋突状と、立設部の外面に形成された係止突起とから構成される。この場合、例えば、螺合構造がホルダーの外面と立設部の内面に形成される場合よりも操作性が良く好ましい。螺合構造が例えばホルダーの外面と立設部の内面に形成される場合は、立設部と外筒の間にホルダーを収納するためのスペースが必要となる。そのため、ホルダーが外筒から取り外された状態では上記スペースの存在により立設部が撓む等して操作性が悪くなる。
【００１７】
本発明の注射装置の好ましい一例では、立設部は、立設部の先端側に自由端を有する片持ちアームを含み、片持ちアームの自由端部側に、上記係止突起が形成される。片持ちアームを押圧することにより、ホルダーと立設部との螺合が解除可能であれば、解除操作が簡便に行え好ましい。この場合、ホルダーの内径は、後端側よりも先端側の方が小さい。各片持ちアームに形成された係止突起とホルダーの内面に形成された螺旋突条との螺合を片持ちアームを押圧することにより解除可能としながら、ホルダー内におけるプレフィルドシリンジ２の径方向のがたつきを抑制できる。また、各片持ちアームに、押圧用突起が形成されているとより好ましい。
【００１８】
本発明の注射装置の好ましい一例では、指掛用フランジは、上記立設部が立設され、立設部の内腔と連通した第１孔を有する第１部材と、第２孔を有する第２部材と、第１部材の立設部側の反対側に第２部材が配置され、第１孔と第２孔とが連通した状態を保持する保持構造とを含む。この保持構造は、例えば、第１部材および第２部材のうちのいずれか一方が有する係止用開口部と、他方に形成され係止用開口部に係止可能な突出片とを含む。第１部材と第２部材とがヒンジ部を介して連結されていてもよい。係止用開口部は、第１部材に形成され、突出片は、第２部材に形成されているとより好ましい。
【００１９】
次に、図面を参照しながら本発明をより詳細に説明する。
【００２０】
図１は、本発明の注射装置の一例の側面図であり、図２は図１に示した注射装置のII−II断面図である。図３は、ホルダーが取り外された状態の注射装置を示した部分断面図である。図４Ａは、図１に示した注射装置を構成するホルダーの側面図であり、図４Ｂは、図４ＡのＩＶ−ＩＶ断面図である。
【００２１】
図１および図２に示すように、本実施形態の注射装置１を構成するプレフィルドシリンジ２の外筒２１内には予め所定量の薬液等（図示せず）が充填されている。円筒状の外筒本体部２１ａの先端には薬液等を吐出可能とする口部２１ｂが形成されている。口部２１ｂの内径および外径は、それぞれ外筒本体部２１ａの内径および外径よりも小さい。口部２１ｂにはゴムキャップ２２等の弾性材料からなるキャップが装着されており、口部２１ｂの開口はゴムキャップ２２により塞がれている。外筒２１内には、その後端開口から、ガスケット２３が摺動可能に挿入されている。このガスケット２３よりも先端側に位置する外筒２１とガスケット２３とで囲まれる空間に薬液等が収納されている。ガスケット２３は外筒２１の内面に密着しているので、上記空間の液密性は保たれている。図１および図２において２４はプランジャーである。プランジャー２４はガスケット２３に連結され、外筒２１内をその長手方向に移動可能である。使用時には、ゴムキャップ２２を口部２１ｂから取り外し、プランジャー２４を外筒２１内に押し込めば、口部２１ｂから薬液を吐出させることができる。
【００２２】
外筒２１に装着され、外筒２１の外周を囲うように配置されたホルダー３は、外筒本体部２１ａを内部に挿入可能とする内径を有している。ホルダー３の口部２１ｂの周囲に位置する部分における内面には螺旋突状３１ａが形成されている。この螺旋突状３１ａは、例えば、注射針や、例えば三方活栓などの一部を構成する雌ルアーと螺合可能なように形成されている。具体的には、螺旋突状３１ａは、注射針を構成する針基の端部外周に形成された環状突起、または、雌ルアーの先端側端部の外周に形成された環状突起等と螺合可能である。よって、口部２１ｂに装着された注射針または雌ルアーは、その内腔に口部２１ｂが挿入されて口部２１ｂに固定されると同時に、ホルダー３に螺合により固定される。そのため、注射針または雌ルアー等に高い圧力が加わっても、これらが口部２１ｂから抜け落ちることが防止されている。
【００２３】
図３に示すように、指掛用フランジ２５は、外筒本体部２１ａの後端側に装着された略筒状の立設部２６と一体的に成形されている。
【００２４】
図３および図２によれば、指掛用フランジ２５と立設部２６とを含む構造体２７の、外筒本体部２１ａへの装着の様子が良く分かる。指掛用フランジ２５は、略板状の第１部材２５ａと、略板状の第２部材２５ｂと、これらを連結するヒンジ部２５ｃとを備えている。ヒンジ部２５ｃは屈曲可能であり、第１部材２５ａと第２部材２５ｂとは、互いに平行に配置され接している。この状態は、例えば下記の保持構造によって保持されている。
【００２５】
図５（ａ）は、指掛用フランジ２５と立設部２６とを含む構造体２７の展開図であり、図５（ｂ）は図５（ｂ）のＶ−Ｖ断面図である。図５（ａ）に示すように、指掛用フランジを構成する第２部材２５ｂには一対の係止用開口部２５２ｂが形成されている。一方、第１部材２５ａには、一対の係止用開口部２５２ｂに対応する１対の突出片２５ｄが形成されている。各突出片２５ｄは、第１部材２５ａの第２部材２５ｂと向い合う面からほぼ直角に立設されており、図３に示すように、脚部２５１ｄとその先端に設けられた鉤部２５２ｄを備えている。脚部２５１ｄの長さは、第２部材２５ｂの厚みとほぼ等しい。
【００２６】
このように、指掛用フランジ２５を構成する保持構造の一例は、係止用開口部２５２ｂと突出片２５ｄとからなる。突出片２５ｄが、係止用開口部２５２ｂ内に挿入され、鉤部２５２ｄを第２部材２５ｂの第１部材２５ａ側の面の反対面と対向させることで、第１部材２５ａと第２部材２５ｂとが接した状態が保持される（図３、図５（ａ）参照）。
【００２７】
図３および図５（ａ）に示すように、第１部材２５ａには、立設部２６が立設されている。立設部２６は、例えば、射出成型法などの成型方法により、第１部材２５ａと一体成型される。第１部材２５ａは、１対の突出片２５ｄ間に第１孔２５１ａを有しており、第１孔２５１ａは、立設部２６の内腔と連通している。（図５（ａ）（ｂ）参照）。第１孔２５１ａの径は、外筒本体２１ａの径大部２１ｃ（図２参照）における外径とほぼ等しいか僅かに大きいと好ましい。また、立設部２６の所定の一部（例えば、第１孔２５１ａに隣接した部分）の内径のみが、径大部２１ｃの外径とほぼ等しいかまたは大きいと好ましい。この場合、図２に示すように、径大部２１ｃを立設部２６の内腔内か、または第１孔２５１ａ内に納めることができる。また、本実施形態の注射装置の組立過程において、口部２１ｂ側の端部から外筒本体部２１ａに装着され、外筒本体部２１ａの後端側にスライド移動された構造体２７が、径大部２１ｃを越え外筒本体部２１ａの後端部側から抜け落ちることが防止される。
【００２８】
一方、図５（ａ）に示すように、第２部材２５ｂは、第２孔２５１ｂを有している。第２孔２５１ｂは、一対の係止用開口部２５２ｂの間に形成されている。第２孔２５１ｂの径はプランジャー２４の、ガスケット２３の後端面よりも後方に位置した部分の先端部２４ａ（図２参照）における外径よりも僅かに小さく、かつ、先端部２４ａよりも後方部分であって外筒２１内に挿入される部分２４ｂ（図２参照）の外径よりも大きいと好ましい。この場合、プランジャー２４のスライド操作がスムーズに行えるとともに、プランジャー２４の抜出が抑制される。
【００２９】
図５（ａ）に示すように、指掛用フランジは、所定の径方向に特に張り出している。具体的には、指掛用フランジは、第１孔２５１ａの中心または第２孔２５１ｂの中心からヒンジ部２５ｃへ向かう方向およびその反対方向へは大きく張り出しておらず、第１孔２５１ａの中心からヒンジ部２５ｃへ向かう方向と直交する方向に、指を十分に掛けることが可能な程度に大きく張り出している。ただし、本実施形態において、指掛用フランジ２５の形状は図５（ａ）を用いて説明した形態に制限されるものではない。例えば、指掛用フランジ２５を立設部２６の軸方向に沿って見たときの外形が、ほぼ円形であってもよい。
【００３０】
次ぎに、外筒２１にホルダー３が装着された状態を保持可能とし、およびその保持を解除可能とする螺合構造について説明する。
【００３１】
図２に示すように、上記螺合構造は、例えば、ホルダー３の内面に形成された螺旋突状３１ｂと、立設部２６の外方に突出した係止突起２６ａとから構成されている。
【００３２】
図１および図３に示した例では、立設部２６の先端側部分の外径は、ホルダー３の後端側部分における内径よりも小さい。そのため、係止突起２６ａの螺旋突状３１ｂへの螺合は、ホルダー３の内側から行われる。
【００３３】
図５（ａ）（ｂ）に示すように、係止突起２６ａは、立設部２６の先端側端部の外周に形成されていると好ましい。立設部２６の軸方向の長さについて特に制限はないが、長くなればなるほど外筒２内の薬液が見づらくなり好ましくない。
【００３４】
図３および図５（ａ）（ｂ）に示すように、立設部２６は、立設部２６の先端側に自由端部を有する片持ちアーム２６ｂを含んでいると好ましい。この場合、片持ちアーム２６ｂの自由端部側に係止突起２６ａが形成される。片持ちアーム２６ｂは、略筒状体があたかも周方向に複数に分割されて形成されたかのような形状をしている。
【００３５】
片持ちアーム２６ｂの数および係止突起２６ａの数については、特に制限がない。しかし、片手で係止解除を行うことを考慮すれば、各々２個であると好ましい。片持ちアーム２６ｂは、立設部２６の中心軸を中心として互いに対称な位置に形成されていると、係止解除の操作性の観点からよりいっそう好ましい。
【００３６】
片持ちアーム２６ｂを押圧することにより、ホルダー３の内面に形成された螺旋突条３１ｂと係止突起２６ａとの螺合が解除される場合、片持ちアーム２６ｂのうちのホルダー３外に配置された部分には、押圧用突起２６ｃが形成されていると好ましい。各押圧用突起２６ｃに対して、ホルダー３の中心軸に近づく向きの押圧力を加えて片持ちアーム２６ｂの先端側を湾曲させる。すると、各片持ちアーム２６ｂの基端を支点として、一対の片持ちアーム２６ｂの先端側部分の相互間隔が狭まり、ホルダー３の内面に形成された螺旋突条３１ｂと係止突起２６ａとの螺合を容易に解除できる。
【００３７】
アーム２６ｂの押圧による螺合の解除を可能とするためには、図２に示すように、各片持ちアーム２６ｂと外筒本体部２１ａの間には、上記のような湾曲を可能とするために、所定長の隙間が必要である。しかし、ホルダー３の螺旋突状３１ｂが形成されている部分よりもより先端側に位置する部分の内径は、それより基端側部分における内径よりも小さいと好ましく、さらには、外筒本体部２１ａの外径よりも僅かに大きい程度であると好ましい。この場合、各片持ちアーム２６ｂに形成された係止突起２６ａとホルダーの内面に形成された螺旋突条との螺合およびその解除を可能としながら、ホルダー３内におけるプレフィルドシリンジ２の径方向のがたつきを抑制できる。
【００３８】
また、図４Ｂに示すように、ホルダー３の内径に関して、螺旋突状３１ａが形成された部分は、それより後端側部分よりも小さい。そのため、ホルダー３の内面には、螺旋突状３１ａが形成された部分と、その部分に隣接する部分とを連結する段差面３１ｄを有している。一方、図２に示すように、外筒２１の外表面は、口部２１ｂと外筒本体部２１ａとを連結する段差面２１ｄを有している。これらの段差面２１ｄ、３１ｄは相互にホルダー３内における外筒２１の軸方向の移動を規制するよう機能している。
【００３９】
以上のとおり、本実施形態の注射装置の一例では、プレフィルドシリンジ２からホルダー３を自在に着脱できる。図３に示すように、螺合構造による螺合が解除されて、プレフィルドシリンジ２からホルダー３（図２参照）が取り外された状態では、例えば、予め挿入孔が形成された弁を備えた混注用ポート等の挿入孔内に、口部２１ｂを挿入できる。また、指掛用フランジ２５が外筒２１の後端部の近傍に設けられた状態を保持する機構と、ホルダー３がプレフィルドシリンジ２に装着された状態を保持する機構（螺合構造）とが、相互に独立している。そのため、プレフィルドシリンジ２からホルダー３を取り外しても、指掛用フランジ２５が外筒２１の後端部の近傍に設けられた状態は保持される。よって、本実施形態の注射装置では、常に、指掛用フランジ２５に指をしっかりと引掛けることができ、安定した操作が行える。
【００４０】
本実施形態の注射装置では、螺合構造により、ホルダー３と立設部２６とが連結されるので、ホルダー３と立設部２６とが連結されることにより形成される保持空間の大きさを微調整可能である。そのため、量産されるプレフィルドシリンジ２について寸法のばらつきがあっても、プレフィルドシリンジ２の径方向および長手方向のがたつきを抑制しながら、プレフィルドシリンジ２にホルダー３が装着された状態を保持できる。
【００４１】
以上のとおり、図１〜図５を用いて説明した例では、螺合構造を構成する係止突起２６ａが各片持ちアーム２６ｂに形成され、係止突起２６ａが係止される螺旋突条３１ｂがホルダー３の内面に形成されている。しかし、本実施形態の注射装置はこのような形態に限定されない。例えば、係止突起がホルダーの内面または外面に形成され、螺旋突条が立設部の外面または内面に形成されていてもよい。
【００４２】
外筒２１の材料について特に制限はないが、例えば、透明性が高く、耐薬品性の高い樹脂またはガラスが好ましい。樹脂としては、例えば、環状ポリオレフィン、ポリカーボネート、ポリエチレンテレフタレート、ポリプロピレン、ポリエチレンナフタレート等が好ましい。口部２１ｂは、ＩＳＯ５９４−１に規定の１００分の６テーパー面を有していると好ましい。
【００４３】
ホルダー３の材料は、例えば、透明性が高く軽量な樹脂が好ましい。樹脂としては、例えば、ポリカーボネート、ポリプロピレン、ポリエチレンナフタレート、ポリエチレンテレフタレート等が好ましいが、なかでも透明性が高く硬質なポリカーボネートが特に好ましい。ホルダー３に形成された、螺旋突状はＩＳＯ５９４−２に規定された螺旋突状であると好ましい。
【００４４】
構造体２７の材料については、例えば、ホルダー３と同様であってもよいが、本実施形態のように、構造体２７がヒンジ部２５ｃや片持ちアーム２６ｂ等のように可撓性を要求される部位を備える場合は、ポリプロピレンが特に好ましい。
【００４５】
プランジャー２４の材料について特に制限はないが、例えば、ポリプロピレン、ポリエチレン等の樹脂が好ましい。
【００４６】
ガスケット２３の材料について特に制限はないが、例えば、ブチルゴム、スチレン系熱可塑性エラストマー等が好ましい。
【００４７】
キャップ２２の材料に特に制限はないが、例えば、ブチルゴム、スチレン系熱可塑性エラストマー等が好ましい。
【００４８】
次ぎに、本実施形態の注射装置の組立方法の一例について、図２を参照しながら説明する。
【００４９】
先ず、外筒２１の口部２１ｂにゴムキャップ２２を装着する。次いで、外筒２１内に薬液等を所定量充填した後、外筒２１の後端開口から、外筒２１内にガスケット２３を挿入する。このようにして、密閉空間内に薬液が保持される。これらの工程が行われる雰囲気の衛生状態等については厳密に管理する必要がある。薬液充填後の以下の工程については、衛生状態等についてやや緩やかに管理された環境下で行っても良い。
【００５０】
次ぎに、外筒２１に構造体２７が装着される。外筒２１への構造体２７の装着は、係止用開口部２５２ｂに突出片２６ｄが係止されていない状態で行なわれる（図３、図５（ａ）参照）。また、外筒２１への構造体２７の装着は、第１孔２５１ａおよび立設部２６の内腔内に、順次、外筒２１をその口部２１ｂ側から挿入することによって行う。構造体２７を外筒２１の後端部上に位置させ、ヒンジ部２５ｃを屈曲させて、係止用開口部２５２ｂに突出片２６ｄを係止させる（図３、図５（ａ）参照）。次いで、ホルダー３内に、ゴムキャップ２２および構造体２７が装着された外筒２１を挿入し、係止突起６ａとホルダー内面に形成された螺旋突条３１ｂとを螺合させる。ホルダー３内への外筒２１の挿入は、ホルダー３の後端開口から、外筒２１をその口部２１ｂ側から挿入して行う。次ぎに、ガスケット２３にプランジャー２４を連結する。このようにして本実施形態の注射装置１を組み立てることができる。
【００５１】
以上、図１〜図５を用いて本実施形態の注射装置の一例について説明したが、本発明の注射装置はこれに限定されない。例えば、部品数と成形工程を減らす観点から、第１部材２５ａと第２部材２５ｂとはヒンジ部２５ｃ（図５（ａ）参照）を介して連結されていると好ましいが、第１部材２５ａと第２部材２５ｂとは必ずしも結合されている必要はない。
【００５２】
図１〜図５に示した例では、突出片２５ｄは第１部材２５ａに設けられ、係止用開口部は第２部材２５ｂに形成されている。しかし、図６に示すように、突出片２５ｄは第２部材２５ｂに設けられ、第１部材２５ａに係止用開口部が形成されていてもよい。この場合、指掛用フランジ２５に指を引掛けた際に、突出片２５ｄの鉤部２５２ｄが滑り止めとして機能するので好ましい。
【００５３】
図２に示した例では、第１部材２５ａの第２部材２５ｂ側の面と外筒２１の後端端面とがほぼ同一平面内にある。しかし、径大部２１ｃは、第１部材２５ａの第２部材２５ｂ側の面から突出していてもよいし、径大部２１ｃは、第１部材２５ａと第２部材２５ｂとによって挟まれていてもよい。また、径大部２１ｃは、立設部２６のより先端側に引込まれていてもよい。
【００５４】
以上では、注射器としてプレフィルドシリンジを用いているが、注射器は、薬液が外筒内に予め充填されていない通常の注射器であってもよい。また、外筒の材料としては、例えば、樹脂、ガラス等が挙げられるが、耐薬品製の優れたガラスが好ましい。
【産業上の利用可能性】
【００５５】
本発明の注射装置では、外筒からホルダーを着脱自在であり、ホルダーが外筒に装着されているか否かにかかわらず、指掛用フランジが外筒の後端部の近傍に設けられた状態が保持されているので、常に安定した操作が行える。そのため、注射装置の適用範囲が広い。
【図面の簡単な説明】
【００５６】
【図１】実施形態１の注射装置の一例の側面図
【図２】図１に示した注射装置のII−II断面図
【図３】ホルダーが取り外された状態の図１の注射装置を示した部分断面図
【図４Ａ】図１に示した注射装置を構成するホルダーの側面図
【図４Ｂ】図４ＡのIV−IV断面図
【図５】（ａ）は指掛用フランジと立設部とを含み、図１の注射装置を構成する構造体を外筒の軸方向から見た図、（ｂ）は（ａ）のV−V断面図
【図６】実施形態１の注射装置の他の一例の一部を示した側面図
【図７】従来の注射装置の一例を示した側面図
【符号の説明】
【００５７】
１          注射装置
２          注射器（プレフィルドシリンジ）
３          ホルダー
３１ａ      螺旋突状
２１        外筒
１ａ        外筒本体部
２１ｂ      口部
２１ｃ      径大部
２２        ゴムキャップ
２３        ガスケット
２４        プランジャー
２５        指掛用フランジ
２５ａ      第１部材
２５ｂ      第２部材
２５ｃ      ヒンジ部
２５ｄ      突出片
２６        立設部
２５１ａ    第１孔
２５１ｂ    第２孔
２５２ｂ    係止用開口部
２５１ｄ    脚部
２５２ｄ    鉤部
３１ｂ      開口部
２６ａ      係止突起
２６ｂ      片持ちアーム
２６ｃ      押圧用突起
【図１】
2008110025.tif 000003
【図２】
2008110025.tif 000004
【図３】
2008110025.tif 000005
【図４Ａ】
2008110025.tif 000006
【図４Ｂ】
2008110025.tif 000007
【図５】
2008110025.tif 000008
【図６】
2008110025.tif 000009
【図７】
2008110025.tif 000010